(57)【要約】【課題】適用される信号変換による変換前後における画像信号の関係を、ユーザがより容易に把握することが可能な技術を提供する。【解決手段】画像処理装置は、画像信号の特性を変換する変換手段と、変換手段による変換前後における画像信号の関係を示す情報を生成し、画像信号の関係を示す情報を表示手段に表示させる表示制御手段と、を有する。ここで、表示制御手段は、変換前後における信号の尺度の関係を示す情報と変換前後における信号値の関係を示す情報とを含むように画像信号の関係を示す情報を生成する。【選択図】図３
2019205062.tif 000002
【特許請求の範囲】
【請求項１】
画像信号の特性を変換する変換手段と、
前記変換手段による変換前後における画像信号の関係を示す情報を生成し、前記画像信号の関係を示す情報を表示手段に表示させる表示制御手段と、を有し、
前記表示制御手段は、変換前後における信号の尺度の関係を示す情報と変換前後における信号値の関係を示す情報とを含むように前記画像信号の関係を示す情報を生成する、ことを特徴とする画像処理装置。
【請求項２】
前記表示制御手段は、前記変換手段によって複数の変換が行われる場合に、それぞれの変換の変換前後における、前記信号の尺度の関係を示す情報と前記信号値の関係を示す情報とを含むように、前記画像信号の関係を示す情報を生成する、ことを特徴とする請求項１に記載の画像処理装置。
【請求項３】
前記画像信号の関係を示す情報は、変換前後における前記信号の尺度の遷移、変換前後における前記信号値の遷移、及び、変換前後における前記信号の尺度の間の信号値の対応関係を示す情報の少なくともいずれかを含む、ことを特徴とする請求項１又は２に記載の画像処理装置。
【請求項４】
前記表示制御手段は、前記変換手段による変換前における最大の信号値と、前記変換手段による変換後における最大の信号値とを示すように、前記画像信号の関係を示す情報を生成する、ことを特徴とする請求項１から３のいずれか１項に記載の画像処理装置。
【請求項５】
前記変換手段による変換前における信号の尺度と、前記変換手段による変換後における信号の尺度とは階調特性の異なる尺度である、ことを特徴とする請求項１から４のいずれか１項に記載の画像処理装置。
【請求項６】
前記信号の尺度は、撮像により得られた際の画像信号のダイナミックレンジ、画像信号を表示手段に表示した際の明るさを示す輝度、及び、黒の信号に相当する信号値と白の信号に相当する信号値とによって予め定義された所定の信号レンジのいずれかを含む、ことを特徴とする請求項５に記載の画像処理装置。
【請求項７】
前記表示手段に表示された画像信号の所定の領域を取得する取得手段を更に有し、
前記表示制御手段は、前記画像信号の関係を示す情報が、前記所定の領域に対応する、前記変換前後における信号値の関係を示す情報を含むように、前記画像信号の関係を示す情報を生成する、ことを特徴とする請求項１から６のいずれか１項に記載の画像処理装置。
【請求項８】
画像信号の特性を変更するための、ユーザによる操作内容を受け付ける操作手段と、
前記操作内容に基づいて前記変換手段の変換動作を変更する制御手段と、を更に有する、ことを特徴とする請求項１から７のいずれか１項に記載の画像処理装置。
【請求項９】
前記制御手段は、前記操作内容に基づいて前記変換手段の変換動作を変更する前に、前記変換手段において前記操作内容に基づく変換が可能であるかを判定し、
前記表示制御手段は、前記操作内容に基づく変換が可能でないと判定された場合、ユーザに対して前記操作内容に基づく変換が可能でない旨の警告表示を行う、ことを特徴とする請求項８に記載の画像処理装置。
【請求項１０】
前記表示制御手段は、前記変換手段によって複数の変換が行われる場合に、画像信号の波形を表示するための波形モニタと、前記波形モニタに表示させる、変換に係る画像信号のいずれかを選択する操作部材とを前記画像信号の関係を示す情報に含め、前記操作部材に対する選択に基づいて前記波形モニタの表示を切り換える、ことを特徴とする請求項２に記載の画像処理装置。
【請求項１１】
変換手段が、画像信号の特性を変換する変換工程と、
表示制御手段が、前記変換手段による変換前後における画像信号の関係を示す情報を生成し、前記画像信号の関係を示す情報を表示手段に表示させる表示制御工程と、を有し、
前記表示制御工程では、変換前後における信号の尺度の関係を示す情報と変換前後における信号値の関係を示す情報とを含むように前記画像信号の関係を示す情報を生成する、ことを特徴とする画像処理装置の制御方法。
【請求項１２】
コンピュータを、請求項１から１０のいずれか１項に記載の画像処理装置の各手段として機能させるためのプログラム。
【発明の詳細な説明】
【技術分野】
【０００１】
本発明は、画像処理装置およびその制御方法ならびにプログラムに関する。
【背景技術】
【０００２】
近年のワークフローでは、撮像装置において記録する記録信号の信号レンジ変換とは別に、撮像装置からの出力信号の信号レンジを、外部機器が対応する信号レンジに合わせて変換し出力するものが知られている。
【０００３】
また、近年、表示機器の表示輝度のＤレンジ（ダイナミックレンジ）が多様化し、ＨＤＲ（ハイダイナミックレンジ）の規格に準拠する表示機器と、ＳＤＲ（スタンダードダイナミックレンジ）の規格にのみ準拠する表示機器とが混在している。このため、ＨＤＲ規格の信号を生成しつつ、ＨＤＲ規格の信号を変換してＳＤＲ規格の信号を生成するＨＤＲ―ＳＤＲサイマル記録／出力の機能を有するワークフローが求められている。
【０００４】
これらのワークフローを実現する技術として、特許文献１は、広いＤレンジの画像信号から表示装置の対応する狭いＤレンジの階調の画像信号を生成して表示する画像データ生成装置を開示している。
【先行技術文献】
【特許文献】
【０００５】
【特許文献１】特開２０１７―１３９６１８号公報
【発明の概要】
【発明が解決しようとする課題】
【０００６】
上述のワークフローを実現する場合、撮像装置で記録される信号を撮像装置から出力するまでの間には、信号レンジ変換、階調変換などの画像処理が施され、（モニタリング目的やＳＤＲ規格準拠等として）出力される信号の特性が異なる。このため、記録される信号に対し、出力される信号がどのように生成されるかを正しく把握できない場合、設定を誤って必要以上にＤレンジが狭まってしまう場合がある。また、生成される画像が、撮像装置の入力Ｄレンジを使い切れていない或いは階調が少ないなどの現象に繋がる場合もある。このため、撮像装置の内部における信号変換がどのように行われているかを、ユーザが容易に理解できる技術が望まれている。
【０００７】
本発明は、上記課題に鑑みてなされ、その目的は、適用される信号変換による変換前後における画像信号の関係を、ユーザがより容易に把握することが可能な技術を実現することである。
【課題を解決するための手段】
【０００８】
この課題を解決するため、例えば本発明の画像処理装置は以下の構成を備える。すなわち、画像信号の特性を変換する変換手段と、前記変換手段による変換前後における画像信号の関係を示す情報を生成し、前記画像信号の関係を示す情報を表示手段に表示させる表示制御手段と、を有し、前記表示制御手段は、変換前後における信号の尺度の関係を示す情報と変換前後における信号値の関係を示す情報とを含むように前記画像信号の関係を示す情報を生成する、ことを特徴とする。
【発明の効果】
【０００９】
本発明によれば、適用される信号変換による変換前後における画像信号の関係を、ユーザがより容易に把握することが可能となる。
【図面の簡単な説明】
【００１０】
【図１】実施形態１における画像処理装置の一例としてのデジタルカメラの機能構成例を示すブロック図
【図２】実施形態１における画像処理部の機能構成例を示すブロック図
【図３】実施形態１における関係図生成処理に係る一連の動作を示すフローチャート
【図４】画像処理の信号変換の特性と変換前後の関係の算出例を示すグラフ
【図５】デジタルカメラ内の信号変換の遷移を表す関係図の表示例を説明する図
【図６】実施形態２における関係図生成処理に係る一連の動作を示すフローチャート
【図７】実施形態２における関係図の表示例を説明する図
【図８】実施形態３における信号変換の変更処理に係る一連の動作を示すフローチャート
【図９】実施形態３における関係図における操作時の表示の変化例を説明する図
【図１０】実施形態３における中間信号を含む関係図の表示例を説明する図
【図１１】実施形態３における関係図を変更する際の表示例を説明する図
【図１２】実施形態４における信号表示処理を示すフローチャート
【図１３】実施形態４における画像処理部の機能構成例を示すブロック図
【図１４】実施形態４における関係図の表示例を説明する図
【図１５】実施形態４における入力信号変更部を説明する図
【発明を実施するための形態】
【００１１】
＜実施形態１＞
以下、本発明の例示的な実施形態について、図面を参照して詳細に説明する。なお、以下では画像処理装置の一例として、撮像した画像信号を変換可能なデジタルカメラを用いる例を説明する。しかし、本実施形態は、デジタルカメラに限らず、撮像した画像を変換可能な他の機器にも適用可能である。これらの機器には、例えばスマートフォンを含む携帯電話機、ゲーム機、タブレット端末、時計型や眼鏡型の情報端末、医療機器、監視システムや車載用システムの機器などが含まれてよい。
【００１２】
（デジタルカメラの構成）
図１を参照して、本実施形態のデジタルカメラ１００の機能構成例について説明する。図１において、撮像レンズ１０３は、ズームレンズ、フォーカスレンズ、シフトレンズを含むレンズ群を構成し、被写体像を撮像部２２の撮像面に結像させる。絞り１０１は、光量調整に使用する絞りである。ＮＤ（Ｎｅｕｔｒａｌ Ｄｅｎｓｉｔｙ）フィルタ１０４は減光用に使用するフィルタを有する。撮像部２２は、光学像を電気信号に変換するＣＣＤやＣＭＯＳ素子等で構成される撮像素子を有する。また、撮像部２２は、電子シャッターによる撮像素子の電荷蓄積の制御や、アナログゲインの変更、読み出し速度の変更などの機能も備え、アナログ画像信号を出力する。Ａ／Ｄ変換器２３は、撮像部２２から出力されるアナログ信号をデジタル信号に変換する。バリア１０２は、デジタルカメラ１００の、撮像レンズ１０３を含む撮像系を覆うことにより、撮像レンズ１０３、絞り１０１、撮像部２２を含む撮像系の汚れや破損を防止する。
【００１３】
画像処理部２４は、Ａ／Ｄ変換器２３から出力されるデジタル画像信号（単に画像データともいう）、又は、メモリ制御部１５からの画像データに対し、所定の画像処理を行う。所定の画像処理は、例えば、画素補間処理、縮小処理などのリサイズ処理、輝度情報や色情報や特徴的な被写体等の検出処理、色変換処理、ガンマ補正処理、デジタルゲインの付加処理等の処理を含む。また、撮像された画像データに基づく所定の演算処理を行い、演算結果をシステム制御部５０に送信する。システム制御部５０は、送信された演算結果に基づいて、例えば露出制御、測距制御、ホワイトバランス制御等を行う。これにより、ＴＴＬ（スルー・ザ・レンズ）方式のＡＦ（オートフォーカス）処理、ＡＥ（自動露出）処理、ＡＷＢ（オートホワイトバランス）処理等が行われる。
【００１４】
ジャイロ４０は、手振れなどによるデジタルカメラ１００の動きや姿勢変化を検出する。システム制御部５０は、ジャイロ４０が検出した動き等に基づいて、撮像レンズ１０３のシフトレンズを動作させるか、もしくは画像処理部２４で画像をずらすことで像振れ補正を行う。
【００１５】
メモリ制御部１５は、メモリ３２へのデータの書き込みやメモリ３２からのデータの読み出しを制御する。例えば、メモリ制御部１５は、Ａ／Ｄ変換器２３からの出力データを直接、或いは画像処理部２４を介してメモリ３２に書き込む。
【００１６】
メモリ３２は、撮像部２２によって撮像されてＡ／Ｄ変換器２３によりデジタルデータに変換された画像データや、表示部２８に表示するための画像データを格納する。メモリ３２は、所定時間の動画像および音声を格納するのに十分な記憶容量を備えている。また、メモリ３２は、画像表示用のメモリ（ビデオメモリ）を兼ねている。
【００１７】
Ｄ／Ａ変換器１３は、メモリ３２に格納されている画像表示用のデータをアナログ信号に変換して表示部２８に供給する。このようにして、メモリ３２に書き込まれた表示用の画像データは、Ｄ／Ａ変換器１３を介して表示部２８により表示される。表示部２８は、ＬＣＤ等によって構成される表示器を含み、表示器上に、Ｄ／Ａ変換器１３からのアナログ信号に応じた表示を行う。撮像部２２から出力された画像信号をＡ／Ｄ変換器２３やメモリ制御部１５を介して表示部２８に逐次表示することで、電子ビューファインダが実現され、スルー画像表示を行うことができる。また、表示部２８は、システム制御部５０による表示制御により、後述する関係図を表示する。なお、表示部２８は、必ずしもデジタルカメラ１００に含まれなくてもよい。表示部２８がデジタルカメラ１００に含まれない場合であっても、デジタルカメラ１００は当該表示部に表示させる画像又は表示内容を制御するための表示制御手段（例えばシステム制御部５０）を有していればよい。
【００１８】
不揮発性メモリ５６は、電気的に消去・記録可能なメモリであり、例えばＥＥＰＲＯＭが用いられる。不揮発性メモリ５６には、システム制御部５０の動作用の定数、プログラム等が記憶される。
【００１９】
システム制御部５０は、ＣＰＵ或いはＭＰＵを含み、プログラムをシステムメモリ５２に展開、実行されることにより、後述する各種フローチャートの動作やデジタルカメラ１００全体の動作を制御する。システムメモリ５２は、例えばＲＡＭを含む。システムメモリ５２には、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。システム制御部５０が画像処理部２４の機能を兼ね備え、画像処理部２４の代わりに各種画像処理に係る演算を行ってもよい。システムタイマー５３は、デジタルカメラ１００における各種制御に用いる時間や、内蔵された時計の時間を計測する計時部である。
【００２０】
モード切替スイッチ６０、録画スイッチ６１、操作部７０は、システム制御部５０に各種の動作指示を入力するための操作手段である。モード切替スイッチ６０は、システム制御部５０の動作モードを、動画記録モード、静止画記録モード、再生モード等のいずれかに切り替えるためのユーザからの操作指示を受け付ける。動画記録モードや静止画記録モードに含まれるモードとして、オート撮影モード、オートシーン判定モード、マニュアルモード、撮影シーン別の撮影設定となる各種シーンモード、プログラムＡＥモード、カスタムモード等がある。モード切替スイッチ６０を操作することにより、動画撮影モードに含まれるこれらのモードのいずれかに直接切り替えることができる。あるいは、モード切替スイッチ６０で動画撮影モードに一旦切り替えた後に、動画撮影モードに含まれるこれらのモードのいずれかに、他の操作部材を用いて切り替えるようにしてもよい。録画スイッチ６１は、撮影待機状態と撮影状態とを切り替えるための操作指示を受け付ける。システム制御部５０は、録画スイッチ６１がＯＮされると、撮像部２２からの信号読み出しから記録媒体２００への動画データの書込みまでの一連の動作を開始する。
【００２１】
操作部７０の各操作部材は、表示部２８に表示される種々の機能アイコンを選択操作することなどにより、場面ごとに適宜機能が割り当てられ、各種機能ボタンとして動作する。機能ボタンとしては、例えば終了ボタン、戻るボタン、画像送りボタン、ジャンプボタン、絞り込みボタン、属性変更ボタン等を含む。例えば、メニューボタンが押されると各種の設定可能なメニュー画面が表示部２８に表示される。ユーザは、表示部２８に表示されたメニュー画面と、上下左右４方向の十字キーやＳＥＴボタンを用いて直感的に各種設定を行うことができる。また、操作部７０は、タッチパネルを含んでもよい。
【００２２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、例えば、アルカリ電池やリチウム電池などの一次電池やＮｉＣｄ電池やＮｉＭＨ電池、Ｌｉイオン電池などの二次電池、ＡＣアダプター等からなる。
【００２３】
Ｉ／Ｆ１８は、メモリカードやハードディスク等の記録媒体２００や、外部表示装置３００とのインターフェースであり、デジタルカメラ１００からの所定のデータを外部表示装置３００等に出力するための出力手段として機能する。記録媒体２００は、撮影された画像を記録するためのメモリカード等の記録媒体であり、半導体メモリや磁気ディスク等から構成される。なお、記録媒体２００は、着脱可能に構成されてよい。
【００２４】
外部表示装置３００は、撮像系を通って撮像された後に画像処理部２４によって処理された画像データをＩ／Ｆ１８から受け取り、モニタ用のガンマ補正を適用したうえで表示する。
【００２５】
次に、図２を参照しながら、画像処理部２４の機能構成と、画像処理部２４が中間処理におけるガンマ特性（単に中間ガンマともいう）を適用した記録用の画像データを出力しながら、外部表示装置３００のための画像データを出力する処理について説明する。なお、中間ガンマを記録用のガンマ特性（単に記録ガンマともいう）として記録用の画像データを出力するのは、ポストプロダクション時になるべく情報量を残すためである。中間ガンマは、一般にＬｏｇ特性を持つため、中間ガンマに従ってガンマ補正を行った信号はコントラストが低く、視聴には向いていない。このため、補正後の信号には、ルックアップテーブル（以下、単にＬＵＴともいう）を用いた画像処理を施して最終画質に近い階調に変換することで、モニタリングしやすい信号を出力する。このように、画像処理部２４は、画像信号の特性を変換する変換手段として機能する。
【００２６】
被写体からの光は撮像レンズ１０３等の光学系を通過して、撮像部２２の撮像面に入射する。撮像部２２は、入射した被写体光学像を電気信号に変換した画像信号を生成し、画像処理部２４は、当該画像信号を、ユーザの設定に応じて処理する。
【００２７】
ガンマ回路２４１は、画像信号を取得して、当該画像データに記録ガンマを適用する。記録ガンマの適用された信号は、記録信号としてメモリ制御部１５とＩ／Ｆ１８とを経由して記録媒体２００に記録される。一方で、ＬＵＴ回路２４２とレンジ変換回路２４３とは、出力用の出力信号を生成するため、画像データにＬＵＴとレンジ変換とを適用する。ＬＵＴとレンジ変換とが適用された信号は、出力信号として、メモリ制御部１５とＤ／Ａ変換器１３とを経由し、表示部２８に表示される。また、当該出力信号は、Ｉ／Ｆ１８から外部表示装置３００に出力される。
【００２８】
なお、本実施形態では、処理対象の画像信号について、信号変換による変換前後における画像信号の関係をユーザが容易に把握できるようにするための関係図の情報を生成し、例えば表示部２８に表示する。
【００２９】
（関係図生成処理）
次に、図３を参照しながら、関係図生成処理に係る一連の動作について説明する。なお、関係生成処理は、システム制御部５０が不揮発性メモリ５６に格納されるプログラムをシステムメモリ５２の作業用領域に展開し実行するとともに、画像処理部２４を含むデジタルカメラ１００の各部を制御することにより実現される。
【００３０】
Ｓ３０１では、システム制御部５０は、記録ガンマの設定値を取得する。具体的に、システム制御部５０は、ユーザの操作指示に基づいて決定される記録ガンマの設定値を、操作部７０を介して取得する。ここで、例えば、ユーザは撮影後のグレーディング時に調整可能な階調をより多く残すために、記録ガンマとして中間ガンマを設定するものとする。中間ガンマは、例えば入力ダイナミックレンジ（単に入力Ｄレンジともいう）が１６００％となるガンマ特性である。
【００３１】
Ｓ３０２では、システム制御部５０は、出力ＬＵＴが設定されているかを判定する。Ｓ３０１において設定された記録ガンマは、より階調を多く残すための中間ガンマであるため、当該ガンマに従ってガンマ補正された画像はコントラストが低い。このため、最終的な見た目に近い形状の信号特性に変換するためのＬＵＴを使用する。システム制御部５０は、操作部７０を介して設定された出力ＬＵＴの設定値が例えばシステムメモリ５２に設定されている場合、出力ＬＵＴが設定されていると判定して、Ｓ３０３に進み、そうでない場合、Ｓ３０５に進む。
【００３２】
Ｓ３０３では、システム制御部５０はＬＵＴ設定を取得する。例えば、本実施形態でユーザが設定したＬＵＴ設定は、例えば、入力Ｄレンジが１６００％となるような中間ガンマの特性の信号から、入力Ｄレンジが８００％となるような視聴ガンマ（視聴用のガンマ特性）の特性の信号に変換するＬＵＴである。この場合、システム制御部５０は、入力Ｄレンジ１６００％から８００％に変換する特性を取得する。ここで取得された信号変換特性は、図２に示したＬＵＴ回路２４２によって信号変換を行う特性と一致する。なお、システム制御部５０は、信号変換特性に係るデータを画像処理部２４から取得してもよいし、不揮発性メモリ５６に予め記録しておいて不揮発性メモリ５６から読み出してもよい。
【００３３】
Ｓ３０４では、システム制御部５０は、ＬＵＴを適用する前後の信号の尺度における、それぞれの信号値を算出する。このとき、尺度は、信号に含まれる入力Ｄレンジに対応する。システム制御部５０は、Ｓ３０３で取得したＬＵＴ特性に基づいて、変換前後の信号値と入力Ｄレンジの関係を算出する。算出した結果をグラフ化した例を図４（ａ）に示す。なお、図４に示す例では、左側に示す棒グラフは変換前の信号の尺度とその尺度における信号値を示す。また、右側の棒グラフは変換後の信号の尺度とその尺度における信号値を表す。すなわち、この図は、変換前後における信号の尺度の関係を示す情報と変換前後における信号値の関係を示す情報とを含んでいる。本実施形態の例では、信号は１０ｂｉｔの信号値であり、棒グラフは０から１０２３までの信号値を示す。中央の数字は破線で示す位置の信号の信号値を示し、左右の尺度は変換前後の信号値に相当する入力Ｄレンジを示している。このＬＵＴ特性を用いることにより、入力Ｄレンジ１６００％の信号から入力Ｄレンジ８００％の信号に変換される。よって、図４（ａ）に示す例では、変換前の最大の信号値（入力Ｄレンジ１６００％）が示されている。また、変換前の入力Ｄレンジ８００％に相当する信号値の９０８が、変換後の最大の信号値である１０２３に対応することが示されている。
【００３４】
Ｓ３０５では、システム制御部５０は、出力ＬＵＴが設定されておらず信号値が変化しないため、ＬＵＴ適用前の信号（すなわち記録用の画像データ）とＬＵＴ後の信号とで同一の信号値の尺度において信号値を算出する。
【００３５】
Ｓ３０６では、システム制御部５０は、ＬＵＴ適用後の信号と外部表示装置３００との信号レンジが一致しているかを判定する。本実施形態における信号レンジは、例えばフルレンジ又はナローレンジのいずれかである。フルレンジは、１０ｂｉｔの信号値であり、白に対応する信号値が１０２３に、黒に対応する信号値が０にそれぞれマッピングされる信号レンジである。また、ナローレンジは、白に対応する信号値が９４０に、黒に対応する信号値が６４にそれぞれマッピングされる信号レンジである。なお、本実施形態ではフルレンジとナローレンジの間の信号の変換を例に説明するが、異なる信号レンジの間の変換はこれら以外のレンジを用いてもよい。
【００３６】
外部表示装置３００の信号レンジ設定については、デジタルカメラ１００に接続された外部表示装置３００へ適切な信号レンジの信号を出力する必要があるため、例えばユーザによって設定されている。例えば、外部表示装置３００の信号レンジ設定がナローレンジに設定されており、一方で、ＬＵＴ変換後の信号レンジがフルレンジである場合、システム制御部５０は、２つの信号レンジが一致していないと判定し、Ｓ３０７に進む。一方、例えば、外部表示装置３００の信号レンジ設定がフルレンジに設定されており、システム制御部５０が、ＬＵＴ変換後の信号レンジと外部表示装置３００の信号レンジ設定が一致していると判定した場合、Ｓ３０９へ進む。なお、本実施形態では、外部表示装置３００の信号レンジ設定がユーザによって設定される場合を例に説明しているが、（例えば接続端子を通してＩ／Ｆ１８経由で）外部表示装置３００と通信を行って信号レンジ設定を取得しても良い。
【００３７】
Ｓ３０９では、システム制御部５０は、（外部表示装置３００の信号レンジに合わせるための信号レベル変換が不要であるため）ＬＵＴ変換後の信号と出力信号とで同一の信号の尺度における信号値を算出する。
【００３８】
Ｓ３０７では、システム制御部５０は、信号レンジ変換特性を取得する。Ｓ３０６で判定した信号レンジの不一致から、変換前の信号レンジを変換後の信号レンジに変換する変換特性を選択する。例えば、ＬＵＴ変換後のレンジがフルレンジであり、外部表示装置３００の信号レンジ設定がナローレンジである場合、フルレンジからナローレンジへの変換となる。ここで取得されたレンジ変換特性は、図２に示したレンジ変換回路２４３によって信号変換を行う特性と一致する。
【００３９】
Ｓ３０８では、システム制御部５０は、レンジ変換前後の信号値の尺度における信号値を算出する。ここでの尺度は、ＬＵＴ後の信号ではフルレンジでの信号％、出力信号ではナローレンジでの信号％である。Ｓ３０７で取得したフルレンジからナローレンジへの変換による変換前後の信号値の対応関係と、フルレンジ（％）に対するナローレンジ（％）の対応関係を算出する。図４（ｂ）は、Ｓ３０８における算出結果をグラフ化した例を示している。フルレンジからナローレンジへの変換では、フルレンジの１００％であって最大信号値である１０２３は、変換後のナローレンジの１００％である信号値の９４０に対応する。同様に、フルレンジの０％であって最小信号値である０は、変換後のナローレンジ０％である信号値の６４に対応する。
【００４０】
Ｓ３１０では、システム制御部５０は、それぞれＳ３０４、Ｓ３０８で算出した変換前後の信号値の関係図を生成する。生成した関係図（５００）の一例について、図５を参照して説明する。まず、図５に示す棒グラフのそれぞれは、左側から順に、記録信号、ＬＵＴ変換後信号、外部出力信号を表す。左端の数値（０〜１０２３）は信号値を表す。この信号値は、各信号に共通の１０ｂｉｔの信号値で表す。記録信号とＬＵＴ変換後信号のグラフの間にある数値は、入力Ｄレンジ（％）を表し、ＬＵＴ変換によって信号値に含まれる入力Ｄレンジの変化を表す。領域５０１（左側の棒グラフ上に示す左下さがり斜線の領域）は、ＬＵＴ変換後に対応する信号値が存在しない領域である。ユーザは、この領域５０１を視認することにより、ＬＵＴ変換によって失われる信号があることを把握することができる。また、ＬＵＴ変換後信号と外部出力信号のグラフの間にある数値は、フルレンジ（％）とナローレンジ（％）を示す。ここでは、ＬＵＴ変換後信号から外部出力信号へは信号レンジ変換を行い、フルレンジからナローレンジへの変換が行われたことを表す。このように、システム制御部５０は、デジタルカメラ１００内の画像処理における、変換前後における尺度の遷移、変換前後における信号値の遷移、及び、変換前後における尺度の間の信号値の対応関係を把握可能な関係図を生成する。また、本実施形態の関係図では、変換前の最大の信号値や尺度の上限、及び、変換後の最大の信号値や尺度の上限が表される。同様に、これらの最小の信号値や尺度の下限を含んでよい。更に、信号変換によって対応する信号値がなくなる領域や、信号変換後に対応する値が存在しない領域などを表すことができる。なお、本実施形態では、棒グラフを用いた関係図を例に説明したが、同様の情報を含めば、他の形式の関係図を用いてもよい。
【００４１】
Ｓ３１１では、システム制御部５０は、Ｓ３１０で生成した関係図を、表示部２８に表示する。ユーザは、この関係図を確認することにより、例えば、記録信号に含まれている入力ＤレンジがＬＵＴ変換によって出力信号では１６００％から８００％に減少することを把握することができる。また、ユーザは、関係図において出力信号がフルレンジからナローレンジに変換され、信号値が圧縮されることが表示されているため、記録信号よりも出力信号の階調が低下することを把握することができる。システム制御部５０は、その後、本処理の動作を終了する。
【００４２】
なお、上述の実施形態では、信号変換の例として異なる入力Ｄレンジの間の画像信号の変換や、異なる信号レンジの間の画像信号の変換を例に説明した。しかし、信号変換は他の形式の信号変換を含んでよい。例えば、ＨＤＲからＳＤＲへの変換や、入力Ｄレンジの信号から所定の階調で定義される表示輝度への変換などを含んでよく、このような変換前後の画像信号の関係は例えば、図４（ｃ）や（ｄ）のようになる。
【００４３】
以上説明したように本実施形態では、デジタルカメラ１００内の信号変換による変換前後における画像信号の関係を視覚的な関係図として表示部に表示するようにした。このようにすることで、適用される信号変換による変換前後における画像信号の関係をユーザがより容易に把握することができる。また、関係図が、変換前後における信号の尺度の関係を示す情報と変換前後における信号値の関係を示す情報とを含むようにした。このようにすることで、信号値の変化だけでは理解し難い、信号変換の影響をユーザが容易に把握可能になる。
【００４４】
＜実施形態２＞
次に、実施形態２について説明する。実施形態１では、信号変換による変換前後の信号値の関係を関係図として表示するようにした。一方、ＨＤＲ対応として動作する外部表示装置３００を接続してＨＤＲコンテンツを撮影する場合、最終出力がどの程度の明るさになるのかを把握しながら撮影を行う必要がある。この場合、実施形態１に示した関係図を視認するユーザは、表現可能な最大輝度は把握できるものの、被写体の顔の輝度値や所定の被写体の輝度値などがどの程度の輝度になるのかについては把握しづらい場合がある。また、露出の基準となるグレーカードや所定の反射率のチャートがどの程度の輝度になるかに関しても把握しづらい場合がある。本実施形態では、ユーザが特定の被写体の輝度値を容易に把握可能にする例について説明する。なお、本実施形態のデジタルカメラ１００の構成は実質的に実施形態１と同一である。このため、同一の構成については同一の符号を付して重複する説明は省略し、相違点について重点的に説明する。
【００４５】
図６を参照して、実施形態２に係る関係図生成処理に係る一連の動作を説明する。なお、本実施形態に係る関係図生成処理も、システム制御部５０が不揮発性メモリ５６に格納されるプログラムをシステムメモリ５２の作業用領域に展開し実行するとともに、画像処理部２４を含むデジタルカメラ１００の各部を制御することにより実現される。また、本実施形態に係る関係図生成処理は、例えば、実施形態１に係る関係図生成処理が終了した後に行われてよい。
【００４６】
Ｓ６０１において、システム制御部５０は、ユーザによって指定された、明るさを把握したい領域もしくは被写体を、操作部７０を介して取得する。例えば、ユーザは表示部２８に表示された画像をタッチして指定したり、十字キーなどで領域を選択して指定したりすることができ、システム制御部５０は、ユーザ操作に基づいてユーザが指定した領域（指定領域）を取得する。このとき、画像処理部２４によって検出された顔や光源などの特徴的な被写体の領域をユーザに選択させることにより、指定領域を取得してもよい。
【００４７】
Ｓ６０２では、システム制御部５０は、画像処理部２４を制御して、信号変換前の指定領域における信号値情報を取得する。ここで取得する信号値情報は、指定領域内における画素の信号値の最大値、最小値、平均値、中央値、分布の情報を含む。
【００４８】
Ｓ６０３では、システム制御部５０は、Ｓ６０２で取得した信号値から信号変換の特性を考慮して信号変換後の信号値を算出する。なお、画像処理部２４を介して、信号変換後の画像情報から直接指定領域の信号値を取得できる場合には、システム制御部５０は、変換後の画像に対する検出処理によって変換後の信号値を取得してもよい。
【００４９】
Ｓ６０４では、システム制御部５０は、変換後の信号値と外部表示装置３００で表示される際の輝度値とが紐づけられているかを判定する。システム制御部５０は、変換後の信号値によって外部表示装置３００で表示される輝度値が一意に決まる場合にはＳ６０７へ進む。一方、変換後の信号値と外部表示装置３００で表示される輝度値が一意に決まらない場合はＳ６０５へ進む。例えば、信号変換後の画像の特性がＲｅｃｏｍｍｅｎｄａｔｉｏｎ  ＩＴＵ−Ｒ  ＢＴ．２１００−１で規定されているＰｅｒｃｅｐｔｕａｌ  Ｑｕａｎｔｉｚａｔｉｏｎ（以下ＰＱ）である場合、Ｅｌｅｃｔｒｏ−Ｏｐｔｉｃａｌ  Ｔｒａｎｓｆｅｒ  Ｆｕｎｃｔｉｏｎ（以下ＥＯＴＦ）特性により信号値から輝度値が一意に決まる。このような場合、システム制御部５０はＳ６０７に進む。一方、信号変換後の画像の特性が同規格で規定されているＨｙｂｒｉｄ  Ｌｏｇ−Ｇａｍｍａ（以下ＨＬＧ）である場合、出力する表示装置の最大輝度値によって輝度値が変わるため輝度値が一意に決まらない。このような場合、システム制御部５０はＳ６０５に進む。
【００５０】
Ｓ６０５では、システム制御部５０は、外部表示装置３００の最大輝度値及びガンマ変換特性を取得可能であるかを判定する。例えば、システム制御部５０は、操作部７０を介して設定されている場合など、外部表示装置３００の最大輝度値及びガンマ変換特性を、取得または類推可能な場合はＳ６０７へ進む。そうでない場合にはＳ６０６へ進む。なお、最大輝度値やガンマ変換特性の取得は、外部表示装置３００と接続することで情報を取得してもよい。また、最大輝度値は、例えばＳＤＲの信号であれば１００ｎｉｔ、ＨＤＲの信号であれば１０００ｎｉｔといったように代表的な輝度値であると類推してもよい。また、ガンマ変換特性は例えばＨＬＧの特性を持つ信号であればＨＬＧのＥＯＴＦ特性でガンマ変換を行うといったように、出力信号の特性から想定するガンマ変換特性として類推してもよい。
【００５１】
Ｓ６０６では、システム制御部５０は、最大輝度値は不明だがガンマ変換特性を取得（または類推）可能であるかを判定する。システム制御部５０は、取得可能であると判定した場合、Ｓ６０９へと進み、最大輝度値もガンマ変換特性も取得可能でない場合はＳ６１１へ進む。
【００５２】
Ｓ６０７では、システム制御部５０は、信号値から外部表示装置３００での表示輝度値を算出する。更に、Ｓ６０８では、システム制御部５０は、図７（ａ）に示す関係図上に、指定領域に係る、信号変換前後の信号値や、表示輝度値とそれらの遷移を示す情報に表示する。図７（ａ）に示す例では、変換前の１０ｂｉｔの信号において、信号値が５１２である場合（信号値表示７０１）と信号値が９８０である場合（信号値表示７０２）の例を示している。また、この例では、説明の簡略化のため信号変換がレンジ変換である場合を示している。例えば、変換前の信号値が５１２である場合、フルレンジからナローレンジへのレンジ変換を行うことで信号値は５０２となる。このとき、外部表示装置３００のガンマ変換特性がＰＱの特性を持っている場合には９２ｎｉｔでの表示となる。また、信号値が９８０である場合（信号値表示７０２）、６７１３ｎｉｔでの表示となる。システム制御部５０は、その後、本処理の動作を終了する。
【００５３】
Ｓ６０９では、システム制御部５０は、表示輝度レベルを算出する。表示輝度レベルは、外部表示装置３００の最大輝度に対してどの程度の割合で表示するかを示す。システム制御部５０は、表示輝度レベルを、信号値からガンマ変換特性を加味して算出する。Ｓ６１０では、システム制御部５０は、算出した表示輝度レベルを用いて、図７（ｂ）に示す関係図上に、信号変換前後の信号値と、表示輝度レベルの値と、信号値の変換による遷移を示す情報を表示する。例えば、変換前の１０ｂｉｔの信号において信号値が５１２である場合（信号値表示７０１）、フルレンジからナローレンジへのレンジ変換を行うことで信号値は５０２となる。また、外部表示装置３００のガンマ変換特性によりその表示輝度は外部表示装置３００の最大輝度に対して５％の輝度に相当する。また、信号値が９８０である場合（信号値表示７０２）は、外部表示装置３００の最大輝度に対して７６％の輝度に相当する。システム制御部５０は、その後、本処理の動作を終了する。
【００５４】
Ｓ６１１では、システム制御部５０は、表示輝度に関係する値を算出することができないため、信号値から出力信号のレンジを加味した出力信号レベルを、図７（ｃ）のように関係図上に示す。また、システム制御部５０は、Ｓ６０２において領域内の分布を取得した場合、信号値や表示輝度に対する分布の状態を、図７（ｄ）のように関係図上に示してもよい。その際、同時に最大値、最小値、最頻値などの情報も付与してもよい。システム制御部５０は、その後、本処理の動作を終了する。
【００５５】
なお、図７（ａ）〜（ｄ）のように複数の領域の輝度値を表示する場合、各領域の色や形状を変えることで、各領域を判別しやすくしてもよい。また、同時に画像の該当する領域にも同様の色や形状の表示を重畳することで、どの領域の輝度の変化を示しているかを分かりやすくしてもよい。
【００５６】
また、本実施形態ではＳ６０１においてユーザが輝度を把握したい領域もしくは被写体を指定するようにした。しかし、特定の被写体の輝度ではなく露出の基準となる指標が外部表示装置３００でどの程度の明るさで表示されるかを知りたい場合もある。この場合、Ｓ６０１で所定の領域または被写体を選択する代わりに、システム制御部５０は、１８％グレーや９０％ホワイトなどの露出の基準となる指標をＵＩ上で選択可能にしてもよい。そして、ユーザによって選択された指標の信号値および表示輝度などの情報を関係図上に示してもよい。
【００５７】
以上説明したように、本実施形態では、輝度を知りたい画像上の所望の領域もしくは被写体（或いは露出の基準となる指標）をユーザが指定可能にし、指定された領域の輝度（或いは指標）に対応する表示輝度値や表示輝度レベル等を表示するようにした。このようにすることで、出力機器で表示されるまでの画像処理がなされる場合に、ユーザは指定した対象の変化を容易に把握することができる。
【００５８】
＜実施形態３＞
次に、実施形態３について説明する。上述した関係図をユーザが確認する際に、ユーザが所望の出力信号にするために、どのような変換を選択すれば良いのかといった判断が難しい場合がある。本実施形態では、そのような場合に、ユーザが、関係図に基づいて所望の出力になるように信号変換を変更する処理例について説明する。なお、本実施形態のデジタルカメラ１００の構成は、実施形態１と実質的同一の構成である。なお、操作部７０は表示部２８に表示された関係図に関連する操作を取得可能である。また、関係図を表示部２８に表示するまでの一連の動作も実施形態１と同様である。このため、同一の構成については同一の符号を付して重複する説明は省略し、相違点について重点的に説明する。
【００５９】
図８を参照しながら、本実施形態に係る信号変換の変更処理について説明する。なお、この信号変換の変更処理は、システム制御部５０が不揮発性メモリ５６に格納されるプログラムをシステムメモリ５２の作業用領域に展開し実行するとともに、画像処理部２４を含むデジタルカメラ１００の各部を制御することにより実現される。また、本処理は、実施形態１に示した関係図生成処理によって関係図が表示された後に開始される。
【００６０】
Ｓ８０１では、システム制御部５０は、ユーザが操作部７０に対して行った操作を操作情報として取得する。Ｓ８０２では、システム制御部５０は、ユーザが関係図に対して操作を行ったかどうかを、取得した操作情報を解析することで判定する。システム制御部５０は、例えば他のメニュー操作であるなど、関係図に対する操作をしていないと判定した場合には、本処理を終了する。一方、システム制御部５０は、取得した操作情報に基づいてユーザが関係図を操作したと判定した場合、当該操作情報から信号変換内容を解析する。ここで、関係図に対する操作情報は、例えば、関係図に対する操作内容や、ユーザ操作によって変更された関係図の状態などを含み、関係図への操作に関するものであれば何でもよい。
【００６１】
例えば、システム制御部５０が、図９（ａ）に示すようなナローレンジ（％）で表現される信号をフルレンジ（％）の信号に変換する際の関係図を、表示部２８に表示しているものとする。この関係図において、ユーザは、変換前の（又は変換後の）画像信号の階調特性を変更する操作を行う。具体的には、図９（ｂ）に示すような変換前の信号における１００％以上の領域の信号を変換後に残すように、ユーザが、変換後に残る信号部分を拡げるための操作を行ったものとする。すなわち、変換前の信号部分が変更された図９（ｃ）のような関係図に変更された場合、システム制御部５０は、変換前の信号値が６４から９４０までであった信号を０から１０２３までの信号に変換するための信号変換内容を取得する。
【００６２】
Ｓ８０４では、システム制御部５０は、Ｓ８０３で解析した信号変換内容が画像処理部２４によって実現可能な信号変換であるかを判定する。システム制御部５０は、例えば、画像処理部２４によって変換可能なレンジ等を予め記録したテーブル等を参照して、画像処理部２４によって対応可能か否かを判定する。また、画像処理部２４で対応可能か否かの判定以外にも、デジタルカメラ１００が備える信号変換に関係する設定の組み合わせによって対応可能かを更に判定してもよい。システム制御部５０は、信号変換内容が実現可能であると判定した場合、Ｓ８０５に進み、信号変換内容が実現可能でないと判定した場合、Ｓ８０６に処理を進める。
【００６３】
Ｓ８０５では、システム制御部５０は、画像処理部２４に、解析された信号変換内容に基づいて、画像処理部２４における変換動作を変更し、変更後の信号変換を実行させる。また、システム制御部５０は、変更後の信号変換による信号値の関係を表示部２８に表示する。システム制御部５０は、例えば、図１０に示すような関係図を表示してもよい。図１０に示す例では、ナローレンジの０％から１０９％の信号をフルレンジの０％から１００％に変換する際に、システムの都合上、一度ナローレンジの０％から１００％の信号に圧縮する必要がある場合を示している。このように、信号変換を複数回行う必要がある場合、その中間信号を関係図として表示してもよい。さらに、Ｓ８０５の信号変換によってユーザが関係図を操作する前の信号に対して影響を受ける信号の範囲を表示部２８に示してもよい。また、図１１（ａ）のような、記録ガンマ（ＲｅｃＧａｍｍａ）と出力ガンマ（ＯｕｔｐｕｔＧａｍｍａ）の入力Ｄレンジの関係図が表示部２８に表示されているものとする。この関係図に対して、図１１（ｂ）に示すようにＲｅｃＧａｍｍａの入力Ｄレンジを、変換後に１６００％の信号まで残るようにユーザが操作した場合、システム制御部５０は、例えば図１１（ｃ）に示す関係図を表示する。画像処理部２４の信号変換処理において、入力レンジの８００％から１６００％の部分を、Ｋｎｅｅを使って８００％までに押し込める処理により実現する場合、領域１１０１に示すように、使用したＫｎｅｅの設定を新たに表示部２８に表示してもよい。システム制御部５０は、その後、本処理の動作を終了する。
【００６４】
Ｓ８０６では、システム制御部５０は、Ｓ８０４において操作情報に係る信号変換が実現可能でないと判定したため、ユーザに対して操作内容に係る信号変換が実現できない旨を表示部２８に表示して警告表示を行う。なお、システム制御部５０は、警告表示を行うだけでなく、ユーザの操作前の状態に関係図を復元したり、実現可能な近い信号変換を提示したりしてもよい。システム制御部５０は、その後、本処理の動作を終了する。
【００６５】
以上説明したように、本実施形態では、変換前又は変換後の画像信号の階調特性を変更するための、ユーザによる関係図に対する操作内容を取得し、取得した操作内容に基づいて変換動作を変更するようにした。また、変更した変換動作による関係図を表示するようにした。このようにすることで、ユーザが直感的に信号変換の動作を操作することができるようになり、複雑な信号変換の計算をユーザが行わなくても意図通りの出力を得ることができる。また、操作によって変更された信号変換の設定を視覚化することにより、今後どの設定をどれだけ変更すればよいかをユーザに伝えることができる。
【００６６】
＜実施形態４＞
更に、実施形態４について説明する。上述した関係図をユーザが確認したうえで、信号変換後の信号をＨＤＭＩ（登録商標）やＳＤＩ等の外部出力端子や波形モニタに出力して信号を確認することが想定される。しかし、デジタルカメラ１００において複数の信号変換が可能である場合、ユーザにとって、波形モニタ等で表示される信号が、記録ガンマ変換後の信号であるのか、ＬＵＴ変換後の信号であるのかを容易に把握できない場合がある。そこで、本実施形態では、外部出力端子や波形モニタに表示した信号がどのような信号変換に基づくものであるかを表示する例について説明する。
【００６７】
なお、本実施形態では、信号変換された信号を、映像出力手段としての表示部２８に含まれる波形モニタに表示する場合を例として説明する。しかし、映像出力手段はＨＤＭＩ（登録商標）やＳＤＩ等の外部出力端子を備えるＩ／Ｆ２８であってもよいし、表示部２８に含まれる表示パネルであってもよい。また、本実施形態では、２つの波形モニタを表示可能であり、また、波形モニタへの入力信号をユーザが指示するための入力信号スイッチを４つ有する場合を例に説明する。しかし、波形モニタの数は１つでも２以上でもよく、また、入力信号スイッチの数も他の数であってよい。
【００６８】
なお、本実施形態のデジタルカメラの構成は、画像処理部２４の構成を除き、実施形態１〜３と実質的に同一であり、操作部７０は表示部２８に表示された関係図に関連する操作も可能である。このため、同一の構成については同一の符号を付して重複する説明は省略し、相違点について重点的に説明する。
【００６９】
本実施形態に係る画像処理部２４の機能構成例について、図１３を参照して説明する。なお、画像処理部２４は、ガンマ回路２４１、ＬＵＴ回路２４２、レンジ変換回路２４３に加えて、入力信号変更部１３０３、波形モニタ１３０４及び１３０５を含む。入力信号変更部１３０３は、ガンマ回路２４１、ＬＵＴ回路２４２、レンジ変換回路２４３への入出力信号、及び、操作部７０における指示部材１３１０からの指示情報を受け取る。そして、それらの情報に基づき波形モニタ１３０４及び波形モニタ１３０５へ入力する信号を選択する。
【００７０】
波形モニタ１３０４と波形モニタ１３０５とは、入力信号変更部１３０３から出力される信号の波形情報を生成する。また、図１３に示す表示部２８の波形モニタ表示部１３１１と波形モニタ表示部１３１２とは、それぞれ波形モニタ１３０４と波形モニタ１３０５とから出力される波形情報を表示する。また、図１３に示す操作部７０内の指示部材１３１０は、内部に入力信号スイッチ１３０６〜１３０９を含み、ユーザ操作による指示を受け付ける。指示部材１３１０は、受け付けたユーザ指示の情報を入力信号変更部１３０３に入力する。なお、関係図を表示部２８に表示する処理、及び、操作部７０からの操作情報を取得して信号変換を変更する処理は、上述の実施形態と同様である。
【００７１】
次に、本実施形態に係る信号表示処理について、図１２を参照して説明する。なお、本実施形態に係る信号表示処理は、システム制御部５０が不揮発性メモリ５６に格納されるプログラムをシステムメモリ５２の作業用領域に展開し実行するとともに、画像処理部２４を含むデジタルカメラ１００の各部を制御することにより実現される。また、本処理は、関係図と入力信号スイッチ１３０６〜１３０９を含むユーザインタフェースとが表示部２８に表示された後に実行される。
【００７２】
まず、信号表示処理を開始する際に表示されている、入力信号スイッチ１３０６〜１３０９を含むユーザインタフェースの例について、図１４を参照して説明する。このユーザインタフェースは、適用される信号変換による変換前後における画像信号の関係を表示しながら、波形モニタに表示する入力映像信号をユーザが指示するために表示される。入力信号スイッチ１３０６〜１３０９は、どの入力映像信号を波形モニタに入力させるかをユーザが指示する指示部材である。
【００７３】
例えば、入力信号スイッチ１３０６〜１３０９のいずれかがユーザによって指示されると、図１５に示すような入力信号変更部１３０３の構成によって入力信号が切り替えられて波形モニタに入力される。例えば、ユーザが入力信号スイッチ１３０６を指示した場合、撮像信号が入力信号変更部１３０３により波形モニタへの入力信号に切り替えられる。また、ユーザが入力信号スイッチ１３０７を指示した場合には記録信号に、また、ユーザが入力信号スイッチ１３０８を指示した場合にはＬＵＴ変換後信号に、それぞれ入力信号が切り替えられて波形モニタへ入力される。更に、ユーザが入力信号スイッチ１３０９を指示した場合には入力信号が外部出力信号に切り替えられて波形モニタへ入力される。
【００７４】
例えば、ユーザがまず入力信号スイッチ１３０７を指示し、次に入力信号スイッチ１３０８を指示した場合には、記録信号が図１４に示す波形モニタ表示部１３１１に、ＬＵＴ変換後信号が波形モニタ表示部１３１２に表示される。すなわち、関係図が示している各信号変換後の信号をユーザが指示することにより、指示した信号の波形を表示することができる。
【００７５】
なお、ユーザが入力信号スイッチ１３０７及び１３０８を指示した後に、入力信号スイッチ１３０６及び入力信号スイッチ１３０９を指示した場合、波形モニタ表示部１３１１には撮像信号、波形モニタ表示部１３１２には外部出力信号が表示される。また、ユーザが１つの入力信号スイッチしか指示しない場合、例えば入力信号スイッチ１３０７しか指示していない場合は、波形モニタ表示部１３１１に記録信号が表示され、波形モニタ表示部１３１２には何も表示されない。
【００７６】
また、システム制御部５０は、ユーザが指示した入力信号スイッチと波形モニタ表示部との関係（どの入力信号スイッチに対応する信号がどの波形モニタに表示されているか）を示す情報１４０６を表示部２８に表示する。
【００７７】
次に、図１２に示す信号表示処理の各ステップについて、具体的に説明する。Ｓ１２０１では、システム制御部５０は、ユーザによる操作部７０に対する操作情報を取得する。Ｓ１２０２では、システム制御部５０は、ユーザが入力信号スイッチ１３０６〜１３０９のいずれかを操作したかを判断する。システム制御部５０は、操作情報に基づいて入力信号スイッチのいずれも操作されていないと判定した場合、Ｓ１２０６に進み、入力信号スイッチのいずれかが操作されたと判定した場合、処理をＳ１２０３へ進む。Ｓ１２０６では、システム制御部５０は、入力信号変更部１３０３により、デフォルト設定の信号を波形モニタへ入力する。デフォルト設定の信号は、例えば、記録信号及びＬＵＴ変換後信号であるが、他の信号でもよく、撮像信号や外部出力信号であってもよい。
【００７８】
Ｓ１２０３では、システム制御部５０は、操作情報に基づいて、ユーザがどの入力信号スイッチを指示したのかを解析する。そして、Ｓ１２０４では、システム制御部５０は、入力信号変更部１３０３が指示部材１３１０からの信号に応じて、撮像信号、記録信号、ＬＵＴ変換後信号、外部出力信号のなかから信号を選択して波形モニタに入力する。
【００７９】
Ｓ１２０５では、システム制御部５０は、波形モニタ表示部１３１１と波形モニタ表示部１３１２が入力信号変更部１３０３からの入力信号を表示する。
【００８０】
以上説明したように、本実施形態では、適用される信号変換による変換前後における画像信号の関係に加えて、波形モニタと、波形モニタに表示する入力映像信号を選択するための操作部材とを含むユーザインタフェースを表示するようにした。このようにすることで、複数の信号変換が可能である場合に、ユーザは、波形モニタ等に表示される信号がどの信号変換による信号であるのかを容易に把握、確認することができる。また、ユーザは、適用される信号変換による変換前後における画像信号の関係を確認しながら、信号変換がなされた信号の波形を容易に確認することができる。
【００８１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８２】
１８…Ｉ／Ｆ、２２…撮像部、２４…画像処理部、２８…表示部、５０…システム制御部
【図１】
2019205062.tif 000003
【図２】
2019205062.tif 000004
【図３】
2019205062.tif 000005
【図４】
2019205062.tif 000006
【図５】
2019205062.tif 000007
【図６】
2019205062.tif 000008
【図７】
2019205062.tif 000009
【図８】
2019205062.tif 000010
【図９】
2019205062.tif 000011
【図１０】
2019205062.tif 000012
【図１１】
2019205062.tif 000013
【図１２】
2019205062.tif 000014
【図１３】
2019205062.tif 000015
【図１４】
2019205062.tif 000016
【図１５】
2019205062.tif 000017